(57)【要約】      （修正有）【課題】持ち運びやカバー部の交換が容易で、特に警備員の使用に際して利便性の高いお椀型透明マスクを提供する。【解決手段】耳掛け部４０等の装着機構を有する本体部Ｂに対して、カバー部Ｃを脱着自在に構成する。カバー部を構成する面材５０は透明であり、上部係合機構５３と下部係合機構５５による係合の有無によって、平坦状態および立体状態に切り換え自在とすることで各部を分解して持ち運ぶことができる。平坦状態の面材は、共に持ち運ぶヘルメット、誘導灯、夜光チョッキなどの警備用具との接触があっても、変形や破損の恐れが無い。【選択図】図１
0003231139.tif 000002
【実用新案登録請求の範囲】
【請求項１】
本体部と、
前記本体部に対して脱着自在な、カバー部と、
を少なくとも備え、
前記本体部は、
耳掛け部と、顎当て部と、一方の脱着部とを少なくとも有し、
前記カバー部は、
透明部材で構成した、面材と、
前記面材の背面側に設けて、前記一方の脱着部と係合する、他方の脱着部と、
を少なくとも有し、
前記面材は、
当該面材の上部および下部に設ける、上部スリットおよび下部スリットと、
前記上部スリットによって区画される、右上片および左上片と、
前記下部スリットによって区画される、右下片および左下片と、
前記右上片と左上片とを係合自在とする、上部係合機構と、
前記右下片と左下片とを係合自在とする、下部係合機構と、を有し、
前記上部係合機構及び下部係合機構による係合の有無によって、前記面材を、平坦状態および立体状態に切り換え自在としたことを特徴とする、
お椀型透明マスク。
【請求項２】
前記本体部が、
前記耳掛け部を両端に設けた、基部と、
前記基部の上部に脱着自在な、連結具と、を少なくとも有し、
前記連結具の左右両端に、前記一方の脱着部を設けたことを特徴とする、
請求項１に記載のお椀型透明マスク。
【請求項３】
前記一方の脱着部および他方の脱着部による脱着機構がスナップボタンであることを特徴とする、
請求項１または２に記載のお椀型透明マスク。
【考案の詳細な説明】
【技術分野】
【０００１】
本考案は、警備員による使用に適した、お椀型透明マスクに関する。
【背景技術】
【０００２】
昨今の新型コロナウイルス感染症（ＣＯＶＩＤ−１９）の流行に関連し、オフィス、医療施設、商業施設、公共交通機関など、あらゆる現場において、業務従事者にマスクの装着が求められている。
昨今では、特許文献１に記載するように、透明な板状素材を組み立てて立体形状のマスク本体部を有する組立式マスクなども着想されている。
【先行技術文献】
【特許文献】
【０００３】
【特許文献１】実用新案登録第３２２８４１４号公報
【考案の概要】
【考案が解決しようとする課題】
【０００４】
これら従来のマスクにおいて、特に警備員が装着する用途に適したマスクとしては以下の改善事項が考えられる。
（１）分解可能として持ち運びをし易くしつつ、持ち運びの際に各部品が変形・破損しにくい構造とすること。
（２）組立時に、マスク全体の強度が確保されていること。
【０００５】
よって、本考案は、特に警備員の使用に際して利便性の高いマスクを提供することを目的の一つとするものである。
【課題を解決するための手段】
【０００６】
上記課題を解決すべくなされた本願考案は、本体部と、前記本体部に対して脱着自在な、カバー部と、を少なくとも備え、前記本体部は、耳掛け部と、顎当て部と、一方の脱着部とを少なくとも有し、前記カバー部は、透明部材で構成した、面材と、前記面材の背面側に設けて、前記一方の脱着部と係合する、他方の脱着部と、を少なくとも有し、前記面材は、当該面材の上部および下部に設ける、上部スリットおよび下部スリットと、前記上部スリットによって区画される、右上片および左上片と、前記下部スリットによって区画される、右下片および左下片と、前記右上片と左上片とを係合自在とする、上部係合機構と、前記右下片と左下片とを係合自在とする、下部係合機構と、を有し、前記上部係合機構及び下部係合機構による係合の有無によって、前記面材を、平坦状態および立体状態に切り換え自在としたことを特徴とするものである。
また、前記考案において、前記本体部が、前記耳掛け部を両端に設けた、基部と、前記基部の上部に脱着自在な、連結具と、を少なくとも有し、前記連結具の左右両端に、前記一方の脱着部を設けてもよい。
また、前記考案において、前記一方の脱着部および他方の脱着部による脱着機構にスナップボタンを用いても良い。
【考案の効果】
【０００７】
本考案によれば、以下に記載する効果のうち、少なくとも何れか１つの効果を奏する。
（１）カバー部を面材で構成し、係合機構を介して組み立てて立体状態を形成することにより、マスクを使用しない際には、各部材を分解し、面材を展開して平坦状態とできるため、持ち運びの利便性が高くなる。
（２）装着機構を有する本体部に対して、カバー部を脱着自在に構成するため、カバー部のみの掃除作業が簡便となり、カバー部に汚れや破損が生じた際に、カバー部のみを交換することができる。
（３）カバー部となる面材が平坦状態となるため、持ち運ぶ際にヘルメット、誘導灯、夜光チョッキなどの警備用具との接触があっても、変形や破損の恐れを軽減できる。
（４）透明部材で構成した面材を含んだカバー部でありながら、従来の不織布製マスクなどで適用される立体形状（お椀型）とすることで、飛沫の遮蔽効果をできる限り高めることができる。
（５）本体部を基部と連結具とに分けることで、カバー部を本体部から取り外す際の手順が、カバー部の背面に設けた他方の脱着部側での取り外しと、カバー部を取り付けてある連結具を、基部の上方から抜き出して取り外す方法の二種類を選択できるため、装着者にとって扱いやすい方法を選択できる。
（６）一方の脱着部の取付高さが異なる連結具を用意することで、本体部に対するカバー部の位置を装着にとって好ましい高さに調整できる。
（７）カバー部と本体部との脱着機構にスナップボタンを用いることで、脱着作業が簡単となる。
【図面の簡単な説明】
【０００８】
【図１】本発明に係るお椀型透明マスクの背面側斜視図。
【図２】面材の正面側展開図。
【考案を実施するための形態】
【０００９】
以下、図面を参照しながら、本考案の実施例について説明する。
【実施例１】
【００１０】
＜１＞全体構成（図１）
本発明に係るお椀型透明マスクＡ（以下、単に「マスクＡ」ともいう。）は、装着機構を有する本体部Ｂと、装着時に装着者の鼻や口の周辺を覆うカバー部Ｃとを備えて構成する。以下、各部材の詳細について説明する。
【００１１】
＜２＞本体部（図１）
本体部Ｂは、装着者への装着機構と、後述するカバー部Ｃとの脱着機構を備えたフレーム部分に相当する部材である。
本実施例では、本体部Ｂを、基部１０と、連結具２０と、顎当て部３０と、耳掛け部４０とでもって構成している。
【００１２】
＜２．１＞基部（図１）
基部１０は、本体部Ｂを装着した際に、カバー部Ｃを装着者の鼻や口の前方側の所定位置に留めおくための部材である。
基部１０は、左右方向に伸びつつ前後方向に湾曲させたアーチ状の部材で構成している。
本実施例では、基部１０を、一般的にマウスシールドと呼ばれる部材の枠材の一部でもって構成している。
また、本実施例では、基部１０の上部に、後述する連結具２０を脱着するための嵌合溝を形成している。
【００１３】
＜２．２＞連結具（図１）
連結具２０は、基部１０に対するカバー部Ｃとの連結を介在する部材である。
本実施例では、連結具２０を、左右方向に伸びた長尺部材であって、かつ前後方向に湾曲できる弾性部材で構成しており、連結具２０の下部を前記基部１０の嵌合溝の軌跡に沿って曲げながら差し込んで嵌合することで、基部１０との間で連結具２０を脱着自在としている。
また、本発明に置ける連結具は、可撓性に乏しく、予め基部１０の嵌合溝の軌跡に併せたアーチ形状を有する部材で構成してもよい。
【００１４】
＜２．２．１＞脱着機構（図１）
連結具２０の前方側両端には、後述するカバー部Ｃとの脱着機構を構成する、一方の脱着部２１を設けている。
本実施例では、一方の脱着部２１をスナップボタンで構成している。
【００１５】
＜２．３＞顎当て部（図１）
顎当て部３０は、本発明に係るマスクＡの装着時に、装着者の顎へと当接させる部材である。
顎当て部３０は、本体部Ｂを構成する基部１０の背面側の略中央から装着者側に向かって張り出すように設ける。
この顎当て部３０を設けることによって、マスクＡの装着時に、カバー部Ｃを装着者の口や鼻から前方に所定間隔を設けて位置させることができる。
顎当て部３０は、本体部Ｂに対し、固定した状態でも、脱着自在な構成の何れであってもよい。
【００１６】
本実施例では、顎当て部３０を、本体部から張り出す一対の腕部と、当該一対の腕部から下方に垂れ下がるようにくの字状に伸ばした舌部と、で構成している。
腕部の長さは、装着者が所望するカバー部Ｃとの離隔距離に応じて適宜決定することができる。
舌部の表面は肉抜きを施すことで、軽量化と、装着時の蒸れを防止している。
【００１７】
＜２．４＞耳掛け部（図１）
耳掛け部４０は、本発明に係るマスクＡを、装着者が装着するための部材である。
本実施例では、基部１０の左右両端に設けたループ紐によって耳掛け部４０を構成している。
【００１８】
＜３＞カバー部（図１，図２）
カバー部Ｃは、装着者の口や鼻の周辺領域を外空間から遮蔽して区画するためのカバーとなる部材である。
なお、前記した「遮蔽」とは、カバー部Ｃの縁が装着者の顔面に密着する等の態様で完全に遮蔽した状態のみを指すものではなく、カバー部Ｃの縁が装着者の顔面に接触せずに隙間を形成しているような部分的な遮蔽態様も含まれている。
本発明では、カバー部Ｃを、主としてポリカーボネートなどを用いた透明部材を材料とした面材５０で構成しており、この面材５０を適宜組み立てることで、お椀型の立体形状を形成する。
また、面材５０に可撓性を備えた材料を用いると、前記した本体部Ｂとの脱着作業時の取り回しが用意となる点で好ましい。
図２を参照しながら、展開して平坦状態の面材５０の形状について以下説明する。
【００１９】
＜３．１＞上部スリットおよび上部係合機構（図２）
面材５０の上部には、面材５０の上縁から下方向に延びるスリット（上部スリット５２）を形成している。
面材５０は、装着者と相対する側からみた場合を正面視側とした場合において、上部スリット５２を挟んで左右に区画された右上片５１ａと左上片５１ｂとを有している。
右上片５１ａと左上片５１ｂには互いに係合可能な上部係合機構５３を設けており、この上部係合機構５３によって右上片５１ａと左上片５１ｂとを重ね合わせるように係合することで、面材５０の上部を立体形状とすることができる。
本実施例では、右上片５１ａに差込穴５３１を設け、左上片５１ｂに差込爪５３２を設けている。
【００２０】
＜３．２＞下部スリットおよび下部係合機構（図２）
面材５０の下部には、面材５０の下縁から上方向に延びるスリット（下部スリット５４）を形成している。
面材５０は、装着者と相対する側からみた場合を正面視側とした場合において、下部スリット５４を挟んで左右に区画された右下片５１ｃと左下片５１ｄとを有している。
右下片５１ｃと左下片５１ｄには互いに係合可能な上部係合機構５５を設けており、この上部係合機構５５によって右下片５１ｃと左下片５１ｄとを重ね合わせるように係合することで、面材５０の下部を立体形状とすることができる。
本実施例では、右下片５１ｃに差込穴５５１を設け、左下片５１ｄに差込爪５５２を設けている。
また、下部スリット５４は、上部スリット５２よりも幅広に形成することで、面材５０の下部が装着者の顎下まで回り込むように構成している。
【００２１】
＜３．３＞脱着機構（図１，２）
面材５０の背面側には、本体部Ｂとの脱着機構を構成する、他方の脱着部５６を設けている。
本実施例では、他方の脱着部５６をスナップボタンで構成しており、このスナップボタンを、前記面材５０の背面側であり、かつ当該面材５０の上下方向における略中間付近の左右両側にそれぞれ設けている。
【００２２】
＜４＞使用方法
警備員が、警備現場に向かう際には、ヘルメット、誘導灯、夜光チョッキなど、コンパクトに収納することに限界がある道具を数多く持ち歩くことになる。
また、これらの道具をリュックサックなどの鞄にまとめて閉まっている状態では、各道具が鞄の中でぶつかり合う場合が多く、立体の状態で固定されたマスクやマウスシールドでは、持ち歩きの際にパーツの破損や変形が多く生じていた。
しかし、本発明によれば、本体部Ｂからカバー部Ｃを取りはずし、さらにカバー部Ｃを立体形状から平面形状に展開することができるため、持ち運ぶ際の容積減につながり、またその他に持ち歩くヘルメット、誘導灯、夜光チョッキなどと鞄の中で接触しても、変形や破損が生じにくくなる。
【実施例２】
【００２３】
前記した実施例１では、本体部Ｂを基部１０と連結具２０とを脱着自在な構成としているが、本発明では、連結具２０を省略し、基部１０に直接、カバー部Ｃとの脱着機構（一方の脱着部２１）を設けても良い。
【符号の説明】
【００２４】
Ａ      お椀型透明マスク（マスク）
Ｂ      本体部
１０    基部
２０    連結具
２１    一方の脱着部
３０    顎当て部
４０    耳掛け部
Ｃ      カバー部
５０    面材
５１ａ  右上片
５１ｂ  左上片
５１ｃ  右上片
５１ｄ  左上片
５２    上部スリット
５３    上部係合機構
５３１  差込穴
５３２  差込爪
５４    下部スリット
５５    下部係合機構
５５１  差込穴
５５２  差込爪
５６    他方の脱着部
【図１】
0003231139.tif 000003
【図２】
0003231139.tif 000004